【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
複数人の投票者による投票の結果に応じて意思決定を行う合議アクティビティを有するワークフローを処理するワークフローサーバであって、
意思決定条件を設定する設定手段と、
前記投票者のいずれかを特権投票者として設定する特権投票者決定手段と、
前記特権投票者からの投票を、特権を利用するか特権を利用しないかを選択させて受け付ける受付手段と、
前記特権投票者が特権を利用して投票した場合には前記投票者の投票に従って前記合議アクティビティの意思決定を行い、一方、前記投票者が特権を利用せずに投票した場合には、前記意思決定条件に従って前記合議アクティビティの意思決定を行うように制御する制御手段と、
を有することを特徴とするワークフローサーバ。
【請求項２】
前記意思決定条件の成立を判定する判定手段を更に有し、
前記制御手段は、前記判定手段により前記意思決定条件が成立したと判定された場合、前記意思決定条件に従って前記合議アクティビティの意思決定を行い、前記判定手段により前記意思決定条件が成立しないと判定された場合、前記特権を利用せずに投票した前記特権投票者による投票内容に従って前記合議アクティビティの意思決定を行うように制御すること特長とする請求項１記載のワークフローサーバ。
【請求項３】
前記意思決定条件の成立を判定する判定手段を更に有し、
前記制御手段は、前記判定手段により前記意思決定条件が成立したと判定された場合、前記意思決定条件に従って前記合議アクティビティの意思決定を行い、前記判定手段により前記意思決定条件が成立しないと判定された場合、前記特権を利用せずに投票した前記特権投票者に再度投票を促し、該特権投票者に投票内容に従って前記合議アクティビティの意思決定を行うように制御することを特長とする請求項１記載のワークフローサーバ。
【請求項４】
複数人の投票者による投票の結果に応じて意思決定を行う合議アクティビティを有するワークフローを処理するワークフローサーバであって、
意思決定条件を設定する設定手段と、
前記投票者のいずれかを特権投票者として設定する特権投票者決定手段と、
前記投票者からの投票を受け付ける受付手段と、
前記受付手段が受け付けた投票内容に応じて前記意思決定条件の成立を判定する判定手段と、
前記判定手段により前記意思決定条件が成立したと判定された場合、前記意思決定条件に従って前記合議アクティビティの意思決定を行い、前記判定手段により前記意思決定条件が成立しないと判定された場合、前記特権投票者による投票に内容に従って、前記合議アクティビティの意思決定を行うように制御する制御手段と、
を有することを特徴とするワークフローサーバ。
【請求項５】
前記意思決定条件は、賛成投票の割合、反対投票の割合の少なくとも一方により意思決定を行う条件であることを特長とする請求項１乃至４のいずれか１項に記載のワークフローサーバ。
【請求項６】
前記判定手段は、予め設定された投票期間が過ぎても前記意思決定条件が成立しない場合、前記意思決定条件が成立しないことが確定したと判定することを特徴とする請求項２乃至５のいずれか１項に記載のワークフローサーバ。
【請求項７】
複数人の投票者による投票の結果に応じて意思決定を行う合議アクティビティを有するワークフローを処理するワークフローサーバにおけるワークフロー制御方法であって、
意思決定条件を設定する設定ステップと、
前記投票者のいずれかを特権投票者として設定する特権投票者決定ステップと、
前記特権投票者からの投票を、特権を利用するか特権を利用しないかを選択させて受け付ける受付ステップと、
前記特権投票者が特権を利用して投票した場合には前記投票者の投票に従って前記合議アクティビティの意思決定を行い、一方、前記投票者が特権を利用せずに投票した場合には、前記意思決定条件に従って前記合議アクティビティの意思決定を行うように制御する制御ステップと、
を有するとこを特徴とするワークフローサーバのワークフロー制御方法。
【請求項８】
複数人の投票者による投票の結果に応じて意思決定を行う合議アクティビティを有するワークフローを処理するワークフローサーバのワークフロー制御方法であって、
意思決定条件を設定する設定ステップと、
前記投票者のいずれかを特権投票者として設定する特権投票者決定ステップと、
前記投票者からの投票を受け付ける受付ステップと、
前記受付ステップが受け付けた投票内容に応じて前記意思決定条件の成立を判定する判定ステップと、
前記判定ステップにより前記意思決定条件が成立したと判定された場合、前記意思決定条件に従って前記合議アクティビティの意思決定を行い、前記判定ステップにより前記意思決定条件が成立しないと判定された場合、前記特権投票者による投票に内容に従って、前記合議アクティビティの意思決定を行うように制御する制御ステップと、
を有することを特徴とするワークフローサーバのワークフロー制御方法。
【請求項９】
複数人の投票者による投票の結果に応じて意思決定を行う合議アクティビティを有するワークフローを処理するワークフローサーバを、
意思決定条件を設定する設定手段と、
前記投票者のいずれかを特権投票者として設定する特権投票者決定手段と、
前記特権投票者からの投票を、特権を利用するか特権を利用しないかを選択させて受け付ける受付手段と、
前記特権投票者が特権を利用して投票した場合には前記投票者の投票に従って前記合議アクティビティの意思決定を行い、一方、前記投票者が特権を利用せずに投票した場合には、前記意思決定条件に従って前記合議アクティビティの意思決定を行うように制御する制御手段と、
を有することを特徴とするワークフローサーバとして機能させるためのプログラム。
【請求項１０】
複数人の投票者による投票の結果に応じて意思決定を行う合議アクティビティを有するワークフローを処理するワークフローサーバを、
意思決定条件を設定する設定手段と、
前記投票者のいずれかを特権投票者として設定する特権投票者決定手段と、
前記特権投票者からの投票を、特権を利用するか特権を利用しないかを選択させて受け付ける受付手段と、
前記特権投票者が特権を利用して投票した場合には前記投票者の投票に従って前記合議アクティビティの意思決定を行い、一方、前記投票者が特権を利用せずに投票した場合には、前記意思決定条件に従って前記合議アクティビティの意思決定を行うように制御する制御手段と、
を有することを特徴とするワークフローサーバとして機能させるためのプログラム。
【請求項１１】
請求項９に記載されたプログラムを記録したコンピュータ読み取り可能な記録媒体。
【請求項１２】
請求項１０に記載されたプログラムを記録したコンピュータ読み取り可能な記録媒体。
【手続補正２】
【補正対象書類名】明細書
【補正対象項目名】０００７
【補正方法】変更
【補正の内容】
【０００７】
本発明は、複数人の投票者による投票の結果に応じて意思決定を行う合議アクティビティを有するワークフローを処理するワークフローサーバであって、意思決定条件を設定する設定手段と、前記投票者のいずれかを特権投票者として設定する特権投票者決定手段と、前記特権投票者からの投票を、特権を利用するか特権を利用しないかを選択させて受け付ける受付手段と、前記特権投票者が特権を利用して投票した場合には前記投票者の投票に従って前記合議アクティビティの意思決定を行い、一方、前記投票者が特権を利用せずに投票した場合には、前記意思決定条件に従って前記合議アクティビティの意思決定を行うように制御する制御手段と、を有することを特徴とする。